【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
液体を吐出する記録ヘッドへ供給される液体を収容するタンクと、
前記タンクから前記記録ヘッドに液体を流す第１の流路と、
前記記録ヘッドから前記タンクへと液体を流す第２の流路と、
前記タンク、前記第１の流路、前記記録ヘッドおよび前記第２の流路を含む循環経路において、液体を循環させる循環ユニットと、を有し、
前記循環ユニットは、前記循環経路内の液体を第１の流量で循環させることと、前記循環経路内の液体を前記第１の流量と異なる第２の流量で循環させることと、が可能であることを特徴とする記録装置。
【請求項２】
前記循環ユニットは、前記第１の流路に配される供給ポンプを含むことを特徴とする請求項１に記載の記録装置。
【請求項３】
前記循環ユニットは、前記第２の流路に配される回収ポンプを含むことを特徴とする請求項１または２に記載の記録装置。
【請求項４】
前記循環ユニットは、前記タンク、前記第１の流路、前記記録ヘッド、前記第２の流路の順で、液体を循環させることを特徴とする請求項１から３のいずれか１項に記載の記録装置。
【請求項５】
前記記録ヘッドは、吐出口と、液体を吐出するためのエネルギーを生成する記録素子と、前記記録素子と面する空間である圧力室と、を有し、前記吐出口は前記圧力室を介して供給される液体を吐出し、前記循環経路は前記圧力室を含むことを特徴とする請求項１から４のいずれか１項に記載の記録装置。
【請求項６】
前記循環ユニットは、前記循環経路内の液体の循環を開始してから所定時間が経過するまで、前記第２の流量で前記循環経路内の液体を循環させることを特徴とする請求項５に記載の記録装置。
【請求項７】
前記記録ヘッドは、ブラックインクとカラーインクとを吐出可能であり、
モノクロモードの記録動作を行うときは前記ブラックインクのみを循環し、カラーモードの記録動作を行うときは前記ブラックインクと前記カラーインクを循環し、
前記モノクロモードの記録動作の後に前記カラーモードの記録動作を行う場合は、前記循環ユニットが前記循環経路内の液体を前記第２の流量で循環させる時間を前記所定時間よりも長くすることを特徴とする請求項６に記載の記録装置。
【請求項８】
前記記録ヘッドは、前記第１の流路と接続され前記圧力室に液体を供給するための共通供給流路と、前記第１の流路及び前記第２の流路と接続され前記圧力室から液体を回収するための共通回収流路と、前記第１の流路と前記共通供給流路との間に設けられ負圧を制御する第１の負圧制御手段と、前記第１の流路と前記共通回収流路との間に設けられ負圧を制御する第２の負圧制御手段と、を有することを特徴とする請求項６または７に記載の記録装置。
【請求項９】
前記所定時間は、前記第１の負圧制御手段と前記第２の負圧制御手段との間に所定の差圧が生じるまでの時間であることを特徴とする請求項８に記載の記録装置。
【請求項１０】
前記記録ヘッドによる記録動作中に、前記循環ユニットが前記第１の流量で液体を循環させることを特徴とする請求項１から９のいずれか１項に記載の記録装置。
【請求項１１】
前記記録動作の指示が入力された場合、前記循環ユニットによる液体の循環が開始されることを特徴とする請求項１０に記載の記録装置。
【請求項１２】
前の記録動作終了からの経過時間に応じて、前記循環ユニットが前記循環経路内の液体を前記第２の流量で循環させる時間を変更することを特徴とする請求項１０または１１に記載の記録装置。
【請求項１３】
前記循環経路内に、容積可変であるバッファ室が設けられることを特徴とする請求項１から１２のいずれか１項に記載の記録装置。
【請求項１４】
前記バッファ室は、前記循環経路内を液体が循環している状態の容積が、前記循環経路内を液体が循環していない状態の容積よりも小さいことを特徴とする請求項１３に記載の記録装置。
【請求項１５】
前記記録ヘッドは、インクを吐出して画像を形成することを特徴とする請求項１から１４のいずれか１項に記載の記録装置。
【請求項１６】
液体を吐出する記録ヘッドに液体を供給する供給部と、
液体を収容するタンクから前記供給部を経由して前記記録ヘッドへ、また、前記記録ヘッドから前記タンクへ、と液体が流れるように循環させる駆動ユニットと、を有し、
前記駆動ユニットは、液体を第１の流量で循環させることと、液体を前記第１の流量と異なる第２の流量で循環させることと、が可能であることを特徴とする循環装置。
【請求項１７】
前記駆動ユニットは、ポンプを含むことを特徴とする請求項１６に記載の循環装置。
【請求項１８】
液体を吐出する記録ヘッドへ供給される液体を収容するタンクと、
前記タンクから前記記録ヘッドへと液体を流す第１の流路と、
前記記録ヘッドから前記タンクへと液体を流す第２の流路と、
前記タンク、前記第１の流路、前記記録ヘッドおよび前記第２の流路を含む循環経路において液体を循環させる循環ユニットと、を有する記録装置の制御方法であって、
第１の流量で液体を循環させる工程と、前記第１の流量と異なる第２の流量で液体を循環させる工程と、を有することを特徴とする記録装置の制御方法。
【請求項１９】
前記循環ユニットは、前記第１の流路に配される供給ポンプを含むことを特徴とする請求項１８に記載の記録装置の制御方法。
【請求項２０】
前記循環ユニットは、前記第２の流路に配される回収ポンプを含むことを特徴とする請求項１８または１９に記載の記録装置の制御方法。
【請求項２１】
前記循環ユニットは、前記タンク、前記第１の流路、前記記録ヘッド、前記第２の流路の順で、液体を循環させることを特徴とする請求項１８から２０のいずれか１項に記載の記録装置の制御方法。
【請求項２２】
前記記録ヘッドは、吐出口と、液体を吐出するためのエネルギーを生成する記録素子と、前記記録素子と面する空間である圧力室と、を有し、前記吐出口は前記圧力室を介して供給される液体を吐出し、前記循環経路は前記圧力室を含むことを特徴とする請求項１８から２１のいずれか１項に記載の記録装置の制御方法。
【請求項２３】
前記循環ユニットは、前記循環経路内の液体の循環を開始してから所定時間が経過するまで、前記第２の流量で前記循環経路内の液体を循環させることを特徴とする請求項２２に記載の記録装置の制御方法。
【請求項２４】
前記記録ヘッドは、ブラックインクとカラーインクとを吐出可能であり、
モノクロモードの記録動作を行うときは前記ブラックインクのみを循環し、カラーモードの記録動作を行うときは前記ブラックインクと前記カラーインクを循環し、
前記モノクロモードの記録動作の後に前記カラーモードの記録動作を行う場合は、前記循環ユニットが前記循環経路内の液体を前記第２の流量で循環させる時間を前記所定時間よりも長くすることを特徴とする請求項２３に記載の記録装置の制御方法。
【請求項２５】
前記記録ヘッドは、前記第１の流路と接続され前記圧力室に液体を供給するための共通供給流路と、前記第１の流路及び前記第２の流路と接続され前記圧力室から液体を回収するための共通回収流路と、前記第１の流路と前記共通供給流路との間に設けられ負圧を制御する第１の負圧制御手段と、前記第１の流路と前記共通回収流路との間に設けられ負圧を制御する第２の負圧制御手段と、を有することを特徴とする請求項２３または２４に記載の記録装置の制御方法。
【請求項２６】
前記所定時間は、前記第１の負圧制御手段と前記第２の負圧制御手段との間に所定の差
圧が生じるまでの時間であることを特徴とする請求項２５に記載の記録装置の制御方法。
【請求項２７】
前記記録ヘッドによる記録動作中に、前記循環ユニットが前記第１の流量で液体を循環させることを特徴とする請求項１８から２６のいずれか１項に記載の記録装置の制御方法。
【請求項２８】
前記記録動作の指示が入力された場合、前記循環ユニットによる液体の循環が開始されることを特徴とする請求項２７に記載の記録装置の制御方法。
【請求項２９】
前の記録動作終了からの経過時間に応じて、前記循環ユニットが前記循環経路内の液体を前記第２の流量で循環させる時間を変更することを特徴とする請求項２７または２８に記載の記録装置の制御方法。
【請求項３０】
前記循環経路内に、容積可変であるバッファ室が設けられることを特徴とする請求項１８から２９のいずれか１項に記載の記録装置の制御方法。
【請求項３１】
前記バッファ室は、前記循環経路内を液体が循環している状態の容積が、前記循環経路内を液体が循環していない状態の容積よりも小さいことを特徴とする請求項３０に記載の記録装置の制御方法。
【請求項３２】
前記記録ヘッドは、インクを吐出して画像を形成することを特徴とする請求項１８から３１のいずれか１項に記載の記録装置の制御方法。
【請求項３３】
液体を吐出する吐出口と、液体を吐出するためのエネルギーを生成する記録素子と、前記記録素子と面する空間である圧力室と、を有し、前記圧力室を介して供給される液体を前記吐出口から吐出する記録ヘッドと、
前記圧力室の外部から前記圧力室の内部へ、また、前記圧力室の内部から前記圧力室の外部へ、と液体の循環を行う循環ユニットを有し、
前記循環ユニットは、液体を第１の流量で循環させることと、液体を前記第１の流量と異なる第２の流量で循環させることと、が可能であることを特徴とする記録装置。
【請求項３４】
記録ヘッドの圧力室の外部から前記圧力室の内部へ、また、前記圧力室の内部から前記圧力室の外部へ、と液体の循環を行う循環ユニットを有し、
前記圧力室は、液体を吐出するエネルギーを生成する記録素子と面し、前記記録ヘッドは、前記圧力室を介して供給される液体を吐出口から吐出するものであって、
前記循環ユニットは、液体を第１の流量で循環させることと、液体を前記第１の流量と異なる第２の流量で循環させることと、が可能であることを特徴とする循環装置。
【請求項３５】
前記圧力室に液体を供給する供給部を有することを特徴とする請求項３４に記載の循環装置。
【請求項３６】
液体を吐出する吐出口と、液体を吐出するためのエネルギーを生成する記録素子と、前記記録素子と面する空間である圧力室と、を有し、前記圧力室を介して供給される液体を前記吐出口から吐出する記録ヘッドと、
前記圧力室の外部から前記圧力室の内部へ、また、前記圧力室の内部から前記圧力室の外部へ、と液体の循環を行う循環ユニットを有する記録装置の制御方法であって、
第１の流量で液体を循環させる工程と、前記第１の流量と異なる第２の流量で液体を循環させる工程と、を有することを特徴とする記録装置の制御方法。
【手続補正２】
【補正対象書類名】明細書
【補正対象項目名】発明の名称
【補正方法】変更
【補正の内容】
【発明の名称】記録装置、循環装置、および記録装置の制御方法
【手続補正３】
【補正対象書類名】明細書
【補正対象項目名】０００１
【補正方法】変更
【補正の内容】
【０００１】
本発明は、記録装置、循環装置、および記録装置の制御方法に関する。
【手続補正４】
【補正対象書類名】明細書
【補正対象項目名】０００６
【補正方法】変更
【補正の内容】
【０００６】
本発明は、上記課題に鑑み、記録ヘッドとタンクの間でインクを循環する構成においてＦＰＯＴを短縮することが可能な記録装置、循環装置、および記録装置の制御方法を提供することを目的とする。
【手続補正５】
【補正対象書類名】明細書
【補正対象項目名】０００７
【補正方法】変更
【補正の内容】
【０００７】
本発明の一態様に係る記録装置は、液体を吐出する記録ヘッドへ供給される液体を収容するタンクと、前記タンクから前記記録ヘッドに液体を流す第１の流路と、前記記録ヘッドから前記タンクへと液体を流す第２の流路と、前記タンク、前記第１の流路、前記記録ヘッドおよび前記第２の流路を含む循環経路において、液体を循環させる循環ユニットと、を有し、前記循環ユニットは、前記循環経路内の液体を第１の流量で循環させることと、前記循環経路内の液体を前記第１の流量と異なる第２の流量で循環させることと、が可能であることを特徴とする。